(57)【要約】【課題】複数のユーザが使用可能な画像形成装置において視覚障害者が自分の印刷物を容易に探し出せる機能を持たせる。【解決手段】印刷ジョブ内に含まれる送信元の情報に基づいて用紙１１に用紙無しと検出される識別子１０１を付加し、画像が形成された用紙１１１に付加された識別子１０１を用紙検知センサ２０で検出し、用紙無しを検出したときに検出用紙長を算出して、検出用紙長が、指定された当該用紙の用紙長未満であるときには識別子１０１が印刷されている目的とする文書であるので、当該用紙１１１を逆方向に搬送し、仕分け元トレイへ排紙して動作を終了し、検出用紙長と指定用紙長が同じであれば、目的外文書として、用紙１１１を排紙トレイに排紙する。【選択図】図７
2009214350.tif 000002
【特許請求の範囲】
【請求項１】
印刷ジョブ内に含まれる送信元の情報に基づいて印刷物に識別子を付加する付加手段と、
前記印刷物に付加された識別子を検出する検出手段と、
検出された識別子が目的とする文書であるか否かを判別する判別手段と、
前記判別の結果が目的とする文書であるときには当該文書とそれ以外の文書を仕分ける制御手段と、
を備えていることを特徴とする画像形成装置。
【請求項２】
請求項１に記載の画像形成装置において、
前記検出手段は、用紙に画像を形成する画像形成手段が搭載されたキャリッジに備えられ、前記用紙の有無を検出する手段であり、
前記付加手段は、印刷物の用紙端から一定の距離に前記検出手段が用紙無しと検出する色で前記識別子を付加し、
前記判別手段は、前記検出手段が用紙長よりも短い間隔で用紙無しを検出したときに前記目的とする文書であると判定する
ことを特徴とする画像形成装置。
【請求項３】
請求項１に記載の画像形成装置において、
前記検出手段は、用紙に画像を形成する画像形成手段が搭載されたキャリッジに備えられ、前記用紙の有無を検出する手段であり、
前記付加手段は、印刷物の用紙端から一定の距離に前記検出手段が用紙無しと検出する色で複数の前記識別子を付加し、
前記判別手段は、前記検出手段が所定の搬送距離内で用紙無しを所定回数検出したときに前記目的とする文書であると判定する
ことを特徴とする画像形成装置。
【請求項４】
請求項１に記載の画像形成装置において、
前記検出手段は、用紙に画像を形成する画像形成手段が搭載されたキャリッジに備えられ、前記用紙の有無を検出する手段であり、
前記付加手段は、印刷物の用紙端から一定の距離に前記検出手段が用紙無しと検出する色で複数の前記識別子を付加し、
前記判別手段は、前記検出手段が一定の周期で検出する一連の用紙無しを前記識別子のシリアルデータとして扱うことにより前記目的とする文書であるか否かを判別する
ことを特徴とする画像形成装置。
【請求項５】
請求項１の記載の画像形成装置において、
目的とする文書以外の文書と判別したときには、用紙を排紙トレイへ排紙し、目的とする文書と判別したときには、用紙を排紙トレイとは逆方向へ搬送し、給紙元トレイに搬送する
ことを特徴とする画像形成装置。
【発明の詳細な説明】
【技術分野】
【０００１】
本発明は画像形成装置に関し、特に印刷物の仕分け機能を有する画像形成装置に関する。
【背景技術】
【０００２】
例えば、ネットワーク接続等により、複数のユーザが使用可能な画像形成装置は、それぞれのユーザが出力した印刷物を共通の排紙トレイに出力するのが一般的である。そのため、排紙トレイに多数の印刷物が蓄積された場合、ユーザはその印刷物の中から自分の印刷物を探し出す作業が必要となる。
【０００３】
この探し出す作業を軽減するために、複数の排紙トレイを設け、印刷を要求したユーザ毎に異なる排紙トレイに出力する装置、共通の排紙トレイに出力する印刷物のページの一部に印刷を要求したユーザ毎に異なる文字や図形を印字する装置、出力する印刷物単位で仕切り用紙を挿入する装置などが知られている。
【０００４】
例えば、特許文献１には、排紙トレイに蓄積された文書から目的となる文書を迅速に取得する目的で、最終印刷後からの経過時間と排紙トレイ上の用紙有無センサの結果により排紙トレイ上に出力された文書の蓄積の有無を判断し、印刷文書の最適な箇所にインデックスを印字する構成が記載されている。
【特許文献１】特開２００４―２０２９２８号公報
【０００５】
また、特許文献２には、ユーザからの印刷ジョブ要求を受信し、印刷ジョブ要求に基づき画像形成を行って、印刷された印刷物を印刷物保管手段に保管し、ユーザ登録を行ったユーザの情報を記憶しておき、印刷物を取り出そうとするユーザのユーザ情報から当該ユーザの印刷物の印刷物保管手段内での位置情報を求め、求められた印刷物の位置情報に応じた印刷物を印刷物保管手段から選択的に排出する装置が記載されている。
【特許文献２】特開２００７−１５２７９８号公報
【発明の開示】
【発明が解決しようとする課題】
【０００６】
しかし、これまでのように複数の排紙トレイを設け、印刷を要求したユーザ毎に異なる排紙トレイに出力する構成では、例えばインクジェット記録装置などの小型の画像形成装置の場合、複数の排紙トレイを装備することは、装置の大型化および高コスト化につながるという課題がある。
【０００７】
また、出力する印刷物のページの一部に印刷を要求したユーザ毎に異なる文字や図形を印字する構成では、視覚障害者が自分の印刷した印刷物を文字や図形などで識別し、探し出すのは不可能である、という課題がある。
【０００８】
また、出力する印刷物単位で仕切り用紙を挿入する構成では、視覚障害者が印刷物の単位を判別することは可能でも、その内のどれが自分の印刷物かを識別するのは不可能であり、また、仕切り用紙用のトレイが別途必要であり、装置の大型化および高コスト化につながる、という課題がある。
【０００９】
本発明は上記の課題に鑑みてなされたものであり、複数のユーザが使用可能な画像形成装置において視覚障害者が自分の印刷物を容易に探し出せる機能を小型かつ低コストで実現することを目的とする。
【課題を解決するための手段】
【００１０】
上記の課題を解決するため、本発明に係る画像形成装置は、
印刷ジョブ内に含まれる送信元の情報に基づいて印刷物に識別子を付加する付加手段と、
前記印刷物に付加された識別子を検出する検出手段と、
検出された識別子が目的とする文書であるか否かを判別する判別手段と、
前記判別の結果が目的とする文書であるときには当該文書とそれ以外の文書を仕分ける制御手段と、
を備えている構成とした。
【００１１】
ここで、前記画像形成装置において、
前記検出手段は、用紙に画像を形成する画像形成手段が搭載されたキャリッジに備えられ、前記用紙の有無を検出する手段であり、
前記付加手段は、印刷物の用紙端から一定の距離に前記検出手段が用紙無しと検出する色で前記識別子を付加し、
前記判別手段は、前記検出手段が用紙長よりも短い間隔で用紙無しを検出したときに前記目的とする文書であると判定する
構成とできる。
【００１２】
また、前記画像形成装置において、
前記検出手段は、用紙に画像を形成する画像形成手段が搭載されたキャリッジに備えられ、前記用紙の有無を検出する手段であり、
前記付加手段は、印刷物の用紙端から一定の距離に前記検出手段が用紙無しと検出する色で複数の前記識別子を付加し、
前記判別手段は、前記検出手段が所定の搬送距離内で用紙無しを所定回数検出したときに前記目的とする文書であると判定する
構成とできる。
【００１３】
また、前記画像形成装置において、
前記検出手段は、用紙に画像を形成する画像形成手段が搭載されたキャリッジに備えられ、前記用紙の有無を検出する手段であり、
前記付加手段は、印刷物の用紙端から一定の距離に前記検出手段が用紙無しと検出する色で複数の前記識別子を付加し、
前記判別手段は、前記検出手段が一定の周期で検出する一連の用紙無しを前記識別子のシリアルデータとして扱うことにより前記目的とする文書であるか否かを判別する
構成とできる。
【００１４】
また、前記画像形成装置において、
目的とする文書以外の文書と判別したときには、用紙を排紙トレイへ排紙し、目的とする文書と判別したときには、用紙を排紙トレイとは逆方向へ搬送し、給紙元トレイに搬送する
構成とできる。
【発明の効果】
【００１５】
本発明に係る画像形成装置によれば、印刷ジョブ内に含まれる送信元の情報に基づいて印刷物に識別子を付加する付加手段と、印刷物に付加された識別子を検出する検出手段と、検出された識別子が目的とする文書であるか否かを判別する判別手段と、判別の結果が目的とする文書であるときには当該文書とそれ以外の文書を仕分ける制御手段とを備えるので、印刷物を装置に通すことで自動的に仕分けされ、複数のユーザが使用可能な画像形成装置において視覚障害者が自分の印刷物を容易に探し出せる機能を小型かつ低コストで実現することができる。
【発明を実施するための最良の形態】
【００１６】
以下，本発明の実施の形態について添付図面を参照して説明する。まず，本発明を適用する画像形成装置としてのインクジェット記録装置の概要について図１ないし図２を参照して説明する。なお，図１は同インクジェット記録装置の概略構成を示す模式的側面説明図、図２は同じく要部平面説明図，図３は同じく正面説明図である。
【００１７】
このインクジェット記録装置は，図示しない左右の側板に横架したガイドロット１でキャリッジ３を保持し，主走査モータ５によって，駆動プーリ６と従動プーリ７間に渡したタイミングベルト８を介して主走査方向に移動走査する。
【００１８】
このキャリッジ３には，例えばイエロー（Ｙ)，シアン(Ｃ)，マゼンタ(Ｍ)，ブラック(Ｋ)の各色のインク滴を吐出する４個の液体吐出ヘッドからなる画像形成手段としての記録ヘッド４ｙ，４ｍ，４ｃ，４ｋ（以下色を区別しないときは「記録ヘッド４」という。）を複数のインク吐出口（ノズル）を形成したノズル面のノズル列を主走査方向と直行する方向(副走査方向)に配列し，インク吐出口方向を下方に向けて装着している。なお，ここでは独立した液体吐出ヘッドを用いているが，各色の記録液（インク）の液滴を吐出する複数のノズル列を有する１又は複数のヘッドを用いる構成とすることもできる。また，色の数及び配列順序はこれに限るものではない。
【００１９】
記録ヘッド４を構成する液体吐出ヘッドとしては，圧電素子などの圧電アクチュエータ，発熱抵抗体などの電気熱変換素子を用いて液体の膜沸騰による相変化を利用するサーマルアクチュエータ，温度変化による金属相変化を用いる形状記憶合金アクチュエータ，静電力を用いる静電アクチュエータなどを，液滴を吐出するための圧力を発生する圧力発生手段として備えたものなどを使用できる。
【００２０】
また，キャリッジ３の背面側には，スリットを形成したエンコーダスケール１０を主走査方向に沿って設け，キャリッジ３にはエンコーダスケール１０のスリットを検出するエンコーダセンサを設け，これらによって，キャリッジ３の主走査方向位置を検知するためのリニアエンコーダを構成している。
【００２１】
さらに、キャリッジ３のホームポジション（図１で左側とする）から画像形成領域方向に移動したときに先行する端面には、用紙１１を検知する本発明における検出手段を兼ねる用紙検知センサ（レジストセンサ）２０が設けられ、このレジストセンサ２０で用紙２２の先端、及び用紙幅の検知などを行うとともに、本発明における識別子の検出を行う。
【００２２】
一方，用紙１１を搬送するために，用紙１１を静電吸着して記録ヘッド４に対向する位置で搬送するための搬送手段である搬送ベルト１２を備えている。この搬送ベルト１２は，無端状ベルトであり，搬送ローラ1３とテンションローラ１４との間に掛け渡されて，ベルト搬送方向（副走査方向）に周回するように構成し，周回移動しながら帯電ローラ１５によって帯電（電荷付与）される。
【００２３】
この搬送ベルト１２としては，１層構造のベルトでも良く，又は複層（２層以上の）構造のベルトでもよい。１層構造の搬送ベルトの場合には，用紙や帯電ローラに接触するので，層全体を絶縁材料で形成している。また，複層構造の搬送ベルトの場合には，用紙や帯電ローラに接触する側は絶縁層で形成し，用紙や帯電ローラと接触しない側は導電層で形成することが好ましい。
【００２４】
搬送ベルト１２に対して用紙１１を給紙する給紙部３０は、用紙１１を積載する用紙積載部（底板）３１上と、用紙積載部３１から用紙１１を１枚ずつ分離給送する半月コロ（給紙ローラ、給紙コロ）３３及び分離パッド３４を備えている。この給紙部３０から給紙された用紙１１を、図示しないガイド部材で案内し、レジストローラ３６で搬送ベルト１２に押付け、搬送ガイド部材３７で搬送方向を略９０°転換し、用紙押えコロ３８、３９で用紙１１を押さえながら搬送ベルト１２に密着させて、記録ヘッド４による画像形成位置に搬送する。
【００２５】
また、画像が形成された用紙１１は、従動ローラ１４に対向配置された拍車４１との間を通過して分離手段４２で分離されて排紙トレイ４３に排出される。
【００２６】
また、装置本体の背面側には、両面ユニット５０が装着される。この両面ユニット５０は用紙反転ローラ５１、５２を備え、片面への印字終了後に搬送ベルト１２が逆転することによって、片面への印字が終了した用紙１１が両面ユニット５０に送り込まれ、反転ローラ５１、５２によって他面が印字面になるように用紙１１が反転されて、レジストローラ３６と搬送ベルト１２との間に給紙される。
【００２７】
また、この両面ユニット５０の上方には、マルチ手差し装置６０を接続している。このマルチ手差し装置６０は、底板６１に積載される用紙１１を１枚ずつ分離して給紙する給紙コロ６３と、給紙コロ６３を回転駆動するための手差し給紙モータ（駆動源）６５と、図示を省略するが、底板駆動カム、引き戻し爪部材、モータ６５の回転を給紙コロ６３に伝達するための１ターンクラッチなどで構成した給紙クラッチなどを含む駆動力伝達機構と、給紙コロ６３の下流側で給紙された用紙１１を搬送する搬送ローラ６９などを備えている。
【００２８】
次に、この画像形成装置の制御部の概要について図４に示すブロック説明図を参照して説明する。
エンジン制御部１００は、この装置全体の制御を司るＣＰＵ１０１と、ＣＰＵ１０１が実行するプログラム、その他の固定データを格納するＲＯＭ１０２と、画像データ等を一時格納するＲＡＭ１０３を備えている。ここで、印刷ジョブ内に含まれる送信元の情報に基づいて印刷物に識別子を付加する付加手段、検出された識別子が目的とする文書であるか否かを判別する判別手段と、判別の結果が目的とする文書であるときには当該文書とそれ以外の文書を仕分ける制御手段は、ＣＰＵ１０１が兼ねている。
【００２９】
また、このエンジン制御部１００は、パーソナルコンピュータ等で構成される外部の情報処理装置（ホスト）２００側とのデータ、信号の送受を行うためのＩ／Ｆ１０６と、記録ヘッド４を駆動するための駆動波形を生成するとともに、記録ヘッド４の圧力発生手段を選択駆動させる画像データ及びそれに伴う各種データをヘッドドライバに出力する記録ヘッド制御部１０７と、主走査モータ５を駆動するための主走査制御部１０８と、搬送ベルト１２を周回移動させる副走査モータ２１を駆動するための副走査制御部１１０を備えている。主走査制御部１０８にはキャリッジ３の移動量等を検出するリニアエンコーダ（主走査エンコーダ）２２からの検出パルスが入力され、この検出パルスに基づいてキャリッジ３の移動を制御する。同様に副走査制御部１１０には搬送ベルト１２（搬送ローラ１３）の移動量（回転量）等を検出するホイールエンコーダ（副走査エンコーダ）２３からの検出パルスが入力され、この検出パルスに基づいて搬送ベルト１２の移動を制御する。
【００３０】
また、このエンジン制御部１００は、レジストセンサ２０からの検知信号を入力して用紙の有無及び用紙サイズを検出する用紙有無検出部１１１を備えている。さらに、このエンジン制御部１００には、この装置に必要な情報の入力及び表示を行うための操作・表示部１１３が接続されている。
【００３１】
次に、本発明に係る自動仕分け機能の動作について図５に示すフロー図及び図６に示す説明図を参照して説明する。なお、ここでは、印刷物である文書Ａ、Ｂ、Ｃから文書Ｂを見つけ出す場合を例にして説明する。
先ず、印刷物が排紙される図示しない排紙トレイに蓄積された印刷物である文書をユーザが図示しない仕分け元トレイに移動する（図５の（ａ））。仕分け元トレイは、手差し給紙を行う手差しトレイ、例えばマルチ手差しトレイ（上述したマルチ手差し装置６０）でもよいし、あるいは、増設トレイでも良いが、視覚障害者にとって作業が簡単なマルチ手差しトレイの方が好ましい。
【００３２】
次に、１回目の仕分け動作（１）を行い、文書ＡとＢの境界を判別する。これにより、排紙トレイには文書Ａが出力され、仕分け元トレイには文書Ｂ，Ｃが残る（図５（ｂ））。
【００３３】
次に、排紙トレイに出力された文書Ａをユーザが一時的に排紙トレイから退避させる（図５（ｃ））。
【００３４】
次に、２回目の仕分け動作（２）を行い、文書ＢとＣの境界を判別する。これにより、排紙トレイには文書Ｂが出力され、仕分け元トレイには文書Ｃが残る（図５（ｄ））。このとき、１回目に出力された文書Ａは一時的に退避しているので、排紙トレイ上には目的となる文書Ｂのみが残っていることになる。
【００３５】
次に、排紙トレイ上の文書Ｂ（目的となる文書）を取出す（図５（ｅ））。
【００３６】
最後に、一時的に退避していた文書Ａと仕分け元トレイに残った文書Ｃを排紙トレイに戻して、仕分け作業は終了となる（図５（ｆ）。
【００３７】
なお、仕分け動作の開始は、操作・表示部１１３（操作パネル）上の所望のスイッチを押すことで開始される。
【００３８】
次に、この自動仕分け機能の第１実施形態について図７の説明図を参照して説明する。
印刷済の用紙（印刷物）の識別には、キャリッジ３に搭載された反射型フォトセンサからなる用紙検知センサ（レジストセンサ）２０を使用する。この用紙検知センサ２０はキャリッジ３に搭載されているため、主走査方向に対してセンサ位置の調整が可能であり、異なるサイズの印刷物（用紙）の用紙端に印刷した識別子の検出が可能となる。
【００３９】
図７（ａ）に示すように、印刷物である画像が形成された用紙１１（これを「用紙１１１」とする。）には、画像形成時に印刷ジョブ内に含まれる送信元の情報に基づいて識別子１０１が付加されている。識別子１０１は、用紙右端及び左端から距離Ｘの部分に、用紙検知センサ２０が用紙無しを検知可能な色、幅及び長さで印刷されている。
【００４０】
この場合、識別子１０１を用紙右端及び左端に印刷するのは、ユーザが蓄積文書を仕分け元トレイに積載するとき、上下反対に積載されても用紙検知センサ２０で識別子１０１を検知できるようにするためである。また、識別子１０１を用紙１１の裏面にも印刷しておけば、文書が表裏反対に積載されても、識別子１０１の検知が可能になる。
【００４１】
また、識別子１０１の色は、用紙検知センサ２０が用紙無しを検出できるよう、搬送ベルトと同じ色（黒）であることが望ましい。識別子１０１は、仕分けの目的となる文書（視覚障害者が印刷した文書）にのみ印刷され、それ以外の文書には印刷されない。
【００４２】
この識別子１０１が印刷（付加）された用紙１１１を用紙検知センサ２０で読み取ったとき、用紙検知センサ２０の出力は、図７（ｂ）に示すように、用紙１１１の後端に達する前に用紙無しを検知する波形となる。
【００４３】
次に、この第１実施形態における前記仕分け動作（１）について図８に示すフロー図を参照して説明する。
先ず、キャリッジ３を搬送ベルト１２の中央へ移動し、用紙検知センサ２０が用紙先端を検出するまで用紙１１１を副走査方向へ搬送する。そして、用紙検知センサ２０が用紙先端を検出したときには、キャリッジ３の位置を識別子１０１を読取り可能な位置に調整済みであるか否かを判別し、調整済みでなければ、キャリッジ３を用紙右端方向に移動し、用紙検知センサ２０で用紙右端を検出したときに、キャリッジ３を用紙左端方向へ距離ｘだけ移動して、用紙検知センサ２０が識別子１０１を読取り可能な位置にする。
【００４４】
そして、キャリッジ位置調整後、用紙１１１を搬送し、用紙検知センサ２０が用紙無しを検出したか否かを判別し、用紙無しを検出したときには、用紙先端から用紙無しを検出したときの位置までの距離（検出用紙長さ）を算出して、検出用紙長が、指定された当該用紙の用紙長（指定用紙長）未満である（検出用紙長＜指定用紙長）か否かを判別する。
【００４５】
このとき、検出用紙長＜指定用紙長であれば、つまり、検出された用紙長が指定された記録用紙長より短い場合、当該用紙１１１は識別子１０１が印刷されている目的とする文書（目的文書）であるので、当該用紙１１１を逆方向に搬送し、仕分け元トレイへ排紙して動作を終了する。
【００４６】
これに対し、検出用紙長＜指定用紙長でなければ、当該用紙１１１には識別子１０１が印刷されていない目的外文書（目的とする文書以外の文書）であるので、そのまま用紙１１１を排紙トレイに排紙し、次の用紙１１１の識別処理に戻る。
【００４７】
なお、上記の処理は前記図４の仕分け動作（１）の処理であり、仕分け動作（２）の処理では、検出用紙長確認後の分岐は逆になり、識別子１０１を検出したときには用紙１１１を排紙し、次の用紙１１の識別へ戻り、識別子１０１を検出しないときには当該用紙１１１を仕分け元トレイへ戻して終了する。
【００４８】
次に、自動仕分け機能の第２実施形態について図９の説明図を参照して説明する。
ここでは、用紙１１に印刷される識別子１０２は、用紙右端及び左端から距離ｘの部分にシリアルデータとして印刷される。制御部１００は、用紙先端検知後、最初の用紙無し検知をシリアルデータのスタートビットと認識し、その後一定距離ｙ毎の用紙有／無をシリアルデータの「１」（有）、「０」（無）として記憶する。図９の例では、複数の識別子１０２を用いて８ビットの識別子データ「０ｘ６５」を印刷した場合である。つまり、識別子１０２は識別子の有無によって所要のシリアルデータとなる識別子データを形成している。
【００４９】
ここで、複数の識別子１０２は、全ユーザ毎に異なる識別子データを印刷する方式でも良いし、視覚障害者であるユーザ毎に異なる識別子データを印刷し、それ以外の文書には識別子を印刷しない方式でも良い。後者の場合、用紙先端検知後、ある一定の距離の間にスタートビットが検知されないことで、視覚障害者の出力した文書であるか否かが判定できるようになる。
【００５０】
次に、この第２実施形態における前記仕分け動作（１）について図１０に示すフロー図を参照して説明する。
前記第１実施形態で説明したと同様に、キャリッジ２の位置を用紙検知センサ２０が識別子１０２を検出可能な位置に調整する。
【００５１】
その後、用紙１１１を一定速度で搬送し、それと並行して、用紙検知センサ２０によって用紙有無を一定周期で検出し、検出結果をシリアルデータとして格納する。シリアルデータ取得後、そのシリアルデータを、仕分けを要求したユーザのユーザＩＤと比較して、一致するか否かを判別する。なお、仕分けを要求したユーザのユーザＩＤは、仕分け動作開始時に、操作パネル１１３から入力されているものとする。
【００５２】
このとき、取得したシリアルデータとユーザＩＤが一致した場合、目的文書と判定して、当該用紙１１１を逆方向に搬送し、仕分け元トレイへ戻した後、動作は終了となる。
【００５３】
これに対して、シリアルデータとユーザＩＤが不一致の場合、目的外文書と判定し、当該用紙１１を排紙トレイへ排紙し、次の用紙１１１の識別動作に入る。
【００５４】
なお、上記の処理は前記図４の仕分け動作（１）の処理であり、仕分け動作（２）の処理では、ユーザＩＤ比較後の分岐は逆になり、ユーザＩＤ一致のときには当該用紙１１１を排紙し、次の用紙１１１の識別へ移行し、ユーザＩＤ不一致のときには当該用紙１１１を仕分けトレイへ戻して処理を終了する。
【００５５】
次に、自動仕分け機能の第３実施形態について図１１の説明図を参照して説明する。
ここでは、用紙１１に印刷される識別子１０３は、用紙右端及び左端から距離ｘで、用紙先端からの距離Ｙの部分に、所望の長さで、任意の回数、印刷される。制御部１００は、用紙先端検知後、用紙１１１を距離Ｙだけ搬送し、その間に用紙無しを検出した回数をカウントする。この検出回数が、ユーザが仕分け動作開始時に指定した回数と一致するか否かで、目的文書であるか否かを判定できる。なお、図１１の例は、距離Ｙの間に用紙無しを３回検出する識別子１０３を印刷した場合である。
【００５６】
次に、この第３実施形態における前記仕分け動作（１）について図１２に示すフロー図を参照して説明する。
前記第１実施形態で説明したと同様に、キャリッジ２の位置を用紙検知センサ２０が識別子１０３を検出可能な位置に調整する。
【００５７】
その後、用紙１１１を一定距離Ｙだけ搬送し、それと並行して、用紙無しが検出された回数をカウントする。距離Ｙ搬送後、用紙無し検出回数を、仕分け開始時にユーザが指定した回数（ユーザＩＤ）と比較し、検出回数がユーザＩＤと一致するか否かを判別する。なお、ユーザによる回数指定は、仕分け動作開始時に、操作パネル１１３から入力されているものとする。
【００５８】
ここで、検出回数がユーザＩＤと一致した場合、目的文書と判定し、用紙１１１を逆方向に搬送し、仕分け元トレイへ戻した後、動作を終了する。
【００５９】
これに対し、検出回数がユーザＩＤと不一致の場合、目的外文書と判定し、当該用紙１１１を排紙トレイへ排紙して、次の用紙１１１の識別動作に移行する。
【００６０】
なお、上記の処理は前記図４の仕分け動作（１）の処理であり、仕分け動作（２）の処理では、ユーザＩＤ比較後の分岐は逆になり、ユーザＩＤ一致のときには当該用紙１１１を排紙し、次の用紙１１１の識別へ移行し、ユーザＩＤ不一致のときには当該用紙１１１を仕分けトレイへ戻して処理を終了する。
【００６１】
このように、印刷ジョブ内に含まれる送信元の情報に基づいて印刷物に識別子を付加し、印刷物に付加された識別子を検出する検出手段と、検出された識別子が目的とする文書であるか否かを判別する判別手段と、判別の結果が目的とする文書であるときには当該文書とそれ以外の文書を仕分ける制御手段とを備えることで、印刷物を装置に通すことで自動的に仕分けされ、複数のユーザが使用可能な画像形成装置において視覚障害者が自分の印刷物を容易に探し出せる機能を小型かつ低コストで実現することができる。
【図面の簡単な説明】
【００６２】
【図１】本発明を適用する画像形成装置としてのインクジェット記録装置の概略構成を示す模式的側面説明図である。
【図２】同じく要部平面説明図である。
【図３】同じく正面説明図である。
【図４】同じく制御部の概要を説明するブロック説明図である。
【図５】同装置における自動仕分け機能の説明に供するフロー図である。
【図６】同じく説明図である。
【図７】同自動仕分け機能の第１実施形態の説明に供する模式的平面説明図である。
【図８】同じくフロー図である。
【図９】同自動仕分け機能の第２実施形態の説明に供する模式的平面説明図である。
【図１０】同じくフロー図である。
【図１１】同自動仕分け機能の第３実施形態の説明に供する模式的平面説明図である。
【図１２】同じくフロー図である。
【符号の説明】
【００６３】
３…キャリッジ
４…記録ヘッド
１１…用紙
１２…搬送ベルト
２０…用紙検知センサ（検出手段）
１０１、１０２、１０３…識別子
１１１…印刷物（画像が形成された用紙）
【図１】
2009214350.tif 000003
【図２】
2009214350.tif 000004
【図３】
2009214350.tif 000005
【図４】
2009214350.tif 000006
【図５】
2009214350.tif 000007
【図６】
2009214350.tif 000008
【図７】
2009214350.tif 000009
【図８】
2009214350.tif 000010
【図９】
2009214350.tif 000011
【図１０】
2009214350.tif 000012
【図１１】
2009214350.tif 000013
【図１２】
2009214350.tif 000014